(57)【要約】【課題】自宅内での生活において、健康器具や運動量測定器具を使用せずに自動で運動量を測定する。【解決手段】屋内の各部屋ごとに設置され、その部屋の平面視縦軸及び横軸の位置に一定間隔にて配置された複数のパッシブセンサーと、該パッシブセンサーによって感知した人体位置情報を受送信する受送信部と、該受送信部と通信機器を介して接続されたデータ処理部とからなり、該データ処理部は前記人体位置情報を記録する記録部と、前記各部屋間の距離テーブルと各部屋に設けられたパッシブセンサー間の距離テーブルと人体の移動距離に対応する運動量テーブルを有するデータベース部と、前記記録部に記録された情報を前記データベース部内の各テーブルに基づき演算し、人体の屋内における運動量を算出する演算部と、該演算部にて演算された運動量を記録し時間或いは期間単位で累計して出力可能な出力部とから構成される。【選択図】        図１
2008099843.tif 000002
【特許請求の範囲】
【請求項１】
屋内の各部屋ごとに設置され、その部屋の平面視縦軸及び横軸の位置に一定間隔にて配置された複数のパッシブセンサーと、該パッシブセンサーによって感知した人体位置情報を受送信する受送信部と、該受送信部と通信機器を介して接続されたデータ処理部とからなり、該データ処理部は前記人体位置情報を記録する記録部と、前記各部屋ごとの間の距離テーブルと各部屋に設けられたパッシブセンサー間の距離テーブルと人体の歩行距離に対応する運動量テーブルとを有するデータベース部と、前記記録部に記録された人体位置情報を前記データベース部内の各テーブルに基づき演算し、人体の屋内における運動量を算出する演算部と、該演算部にて演算された運動量を記録し期間単位で累計して出力可能な出力部とから構成される自宅型自動運動量算出システム。
【請求項２】
前記各部屋ごとの間の歩行距離は、前記データ処理部において、前記記録部に記録された人体位置情報により各部屋内における人体の所在の有無の判断を行ない、先に所在有りと判断された部屋から、現在所在有りと判断された部屋へ人体が移動したものと判断し、前記データベース部内の各部屋間の距離テーブルに基づいて、歩行距離の演算を行なうことを特徴とする請求項１記載の自宅型自動運動量算出システム。
【請求項３】
前記各部屋における歩行距離は、前記データ処理部において、前記記録部に記録された人体位置情報により各部屋における人体の所在の有無の判断を行ない、先に所在有りと判断された部屋と、現在所在有りと判断された部屋とが同じであると判断し、前記データベース部内のパッシブセンサー間の距離テーブルに基づいて、歩行距離の演算を行なうことを特徴とする請求項１又は２に記載の自宅型自動運動量算出システム。
【請求項４】
前記運動量は、前記各部屋ごとの間及び前記各部屋における人体の歩行距離の累計によって得られた屋内の歩行距離と、前記データベース部内の運動量テーブルに基づいて演算されることを特徴とする請求項１乃至３に記載の自宅型自動運動量算出システム。
【発明の詳細な説明】
【技術分野】
【０００１】
本発明は、自宅での生活において、健康器具などを使用せずに自動で運動量を求める自宅型自動運動量算出システムに関するものである。
【背景技術】
【０００２】
近年、超高齢化社会への突入及び核家族化に伴って、一人暮らしの高齢者は全国で３００万人を越えている。これら高齢者のうち介護保険などの社会保障の対象とならない高齢者が増加し、更に閉じこもりや独居生活を行なう高齢者も増加の傾向にある。これらの高齢者は、身体的不調や精神的な抑鬱状態などから日常的に外出する機会が減り、運動量も減少するが、これまでこれらの現象を客観的に評価する手段がなかった。
【０００３】
これに対して、歩数計等の健康器具を用いて高齢者の運動量を計測する試みも行なわれているが、高齢者が自分で装着して操作する必要があり、操作の煩わしさや違和感のため十分な活用がなされていないという問題点があった。しかも高齢者の場合、動作が小さいため、屋内では歩数計等による運動量の計測ができないという欠点もあった。
【０００４】
そこで、被測定者の腕に取付けられるライフリストバンドと、屋内の複数個所に設置され生活動線を監視するセンサーと、前記ライフリストバンドからの信号を受信し、前記センサーと接続する監視端末と、該監視端末と電話回線で接続されるホストコンピューターとからなるヘルパーシステムが提案されている（特許文献１参照。）。
【０００５】
また、観察対象者の身体の複数箇所に取り付けられて、その部位における動きに関する情報および鉛直方向に対する姿勢に関する情報を各々が独立して計測する複数のセンサーと、そのセンサーによって計測された情報を、計測された時刻の情報と対応付けて記憶または外部へ送信する情報記憶・送信装置とからなる状態評価システム及び解析装置も提案されている（特許文献２参照。）。
【０００６】
【特許文献１】特開平９−１３４４８９号公報
【特許文献２】特開２００２−２９１７２３号公報
【発明の開示】
【発明が解決しようとする課題】
【０００７】
しかしながら、上記特許文献１に提案されているヘルパーシステムの場合、被測定者の腕に取り付けられたライフリストバンドによって被測定者の脈拍や心拍を計測して、その計測値によって体の異常を判断できるものであり、またセンサーは被測定者の在宅、不在の判断と不審者の侵入を防止するものであるが、被測定者が高齢者の場合、常時ライフリストバンドを装着することは非常に困難であり、しかも日々の運動量を計測して算出することができないという問題点があった。
【０００８】
また、上記特許文献２に提案されている状態評価システム及び解析装置の場合、観察対象者の身体の複数箇所に取り付けられたセンサーによって計測された観察対象者の動作状態（臥位、座位、立位、等）の判別を行なって、身体上の行動状況の記録、解析を行なうものであるが、上述した特許文献１と同様、観察対象者の身体にセンサーを装着する必要があり、特に高齢者には大きな負担となるものであった。
【０００９】
上記の問題点に鑑み本発明者らは、従来の人体に装着する器具を何ら必要とせず、しかも高齢者であっても確実に屋内における運動量の算出が可能な自宅型自動運動量算出システムを提供するに至った。
【課題を解決するための手段】
【００１０】
このため本発明は、屋内の各部屋ごとに設置され、その部屋の平面視縦軸及び横軸の位置に一定間隔にて配置された複数のパッシブセンサーと、該パッシブセンサーによって感知した人体位置情報を受送信する受送信部と、該受送信部と通信機器を介して接続されたデータ処理部とからなり、該データ処理部は前記人体位置情報を記録する記録部と、前記各部屋間の距離テーブルと各部屋に設けられたパッシブセンサー間の距離テーブルと人体の歩行距離に対応する運動量テーブルとを有するデータベース部と、前記記録部に記録された人体位置情報を前記データベース部内の各テーブルに基づき演算し、人体の屋内における運動量を算出する演算部と、該演算部にて演算された運動量を記録し期間単位で累計して出力可能な出力部とから構成されることを第１の特徴とする。
【００１１】
また、前記各部屋ごとの間の歩行距離は、前記データ処理部において、前記記録部に記録された人体位置情報により各部屋内における人体の所在の有無の判断を行ない、先に所在有りと判断された部屋から、現在所在有りと判断された部屋へ人体が移動したものと判断し、前記データベース部内の各部屋間の距離テーブルに基づいて、歩行距離の演算を行なうことを第２の特徴とする。
【００１２】
また、前記各部屋における歩行距離は、前記データ処理部において、前記記録部に記録された人体位置情報により各部屋における人体の所在の有無の判断を行ない、先に所在有りと判断された部屋と、現在所在有りと判断された部屋とが同じであると判断し、前記データベース部内のパッシブセンサー間の距離テーブルに基づいて、歩行距離の演算を行なうことを第３の特徴とする。
【００１３】
そして、前記運動量は、前記各部屋ごとの間及び前記各部屋における人体の歩行距離の累計によって得られた屋内の歩行距離と、前記データベース部内の運動量テーブルに基づいて演算されることを第４の特徴とする。
【発明の効果】
【００１４】
本発明に係る自宅型自動運動量算出システムによれば、屋内の各部屋ごとに設置され、その部屋の平面視縦軸及び横軸の位置に一定間隔にて配置された複数のパッシブセンサーと、該パッシブセンサーによって感知した人体位置情報を受送信する受送信部と、該受送信部と通信機器を介して接続されたデータ処理部とから構成されているため、人体に何らの器具を装着することなく屋内における運動量の算出ができるという優れた効果を有する。
【００１５】
また、データ処理部において、各部屋における人体の所在の有無が判断されるため、屋内のどの部屋に移動していても、人体位置情報を得ることができ、しかも移動した歩行距離の累計が確実に得られるという効果を有する。
【００１６】
さらに、上記の歩行距離から屋内の運動量がデータベース部内の運動量テーブルに基づいて算出できるという優れた効果を有する。
【発明を実施するための最良の形態】
【００１７】
以下、本発明を実施例を示す図面に基づいて説明するが、本発明が本実施例に限定されないことは言うまでもない。図１は、本発明に係る自宅型自動運動量算出システムの基本構成を説明する平面説明図、図２は、本発明のデータ処理部の説明図である。尚、本実施例においてはシステム内の情報の伝送にインターネットを利用した例で説明する。
【実施例】
【００１８】
図１及び図２に示すように、本発明の自宅型自動運動量算出システム１は、屋内の各部屋２、３に設けられた人体の位置を検出するパッシブセンサーＸ１００（Ｘ１００、Ｘ１０１・・）、Ｙ１００（Ｙ１００、Ｙ１０１・・）、Ｘ２００（Ｘ２００、Ｘ２０１・・）、Ｙ２００（Ｙ２００、Ｙ２０１・・）と、このパッシブセンサーＸ１００、Ｙ１００、Ｘ２００、Ｙ２００によって感知された人体位置情報を受信して送信する受送信装置４と、インターネット５を介して接続され、受信した人体位置情報を記録し、演算処理して人体の運動量を算出するデータ処理部６とから構成されている。
【００１９】
パッシブセンサーＸ１００、Ｙ１００は、部屋２の平面視Ｘ軸及びＹ軸位置に一定の間隔で部屋の内側に向けて配置され、同様にパッシブセンサーＸ２００、Ｙ２００は部屋３の平面視Ｘ軸及びＹ軸位置に一定の間隔で部屋の内側に向けて配置されており、各々感知の幅が水平方向で狭い赤外線焦電センサーが使用されている。また受送信装置４は、パッシブセンサーＸ１００、Ｙ１００、Ｘ２００、Ｙ２００によって感知された人体位置情報を無線によって受信し、送信する受送信部と通信機器とから構成され、インターネット５を介してデータ処理部６に人体位置情報を送信する。尚、インターネット５を介せずに通信ケーブルなどによって直接データ処理部６と接続してもかまわない。
【００２０】
データ処理部６は、受送信装置４からインターネット５を介して受信した人体位置情報を受信して記録する記録部７と、パッシブセンサーＸ１００、Ｙ１００、Ｘ２００、Ｙ２００それぞれが設置された間隔を記録した距離テーブル８と各部屋間の距離を記録した距離テーブル９と人体の歩行距離に対応する運動量を記録した運動量テーブル１０とが収納されたデータベース部１１と、記録部７に記録された人体位置情報から人体の所在の有無を判断すると共に、人体の歩行距離を演算して累計を行い、さらにこの歩行距離から運動量を算出する演算部１２と、これら歩行距離と運動量を日毎・週毎・月毎に編集して画像表示すると共に印刷出力可能な出力処理部１３とから構成されている。
【００２１】
このデータ処理部６において、記録部７に記録された人体位置情報から時間ごとの人体の位置を確認して、現在人体が屋内のどの部屋に存在するかを判断し、例えば人体が部屋２内に存在すると判断し、現在位置Ｄ１の位置データと一つ前の位置Ｄ２の位置データとが同じ部屋２内であれば、距離テーブル８に基づいて歩行距離Ｄ３を算出する。そしてこの歩行距離Ｄ３から運動量テーブル１０に基づいて運動量を算出する。同様に一つ前の位置Ｄ４が部屋３であれば、部屋２と部屋３間の距離を距離テーブル９に基づいて算出して歩行距離Ｄ５を算出し、この歩行距離Ｄ５から運動量テーブル１０に基づいて運動量を算出する。尚、これら歩行距離Ｄ３・Ｄ５と運動量は出力処理部１３において日毎・週毎・月毎に編集して画像表示可能であると共に印刷出力可能となる。尚、本実施例においてはパッシブセンサーを用いて人体の感知を行ない、このパッシブセンサー間の距離テーブルに基づいて歩行距離の算出を行なっているが、超音波や赤外線を用いた新たなセンサーによって人体の感知と歩行距離とを算出可能なセンサーを使用することも可能である。
【００２２】
以上の構成からなる、本発明の自宅型自動運動量算出システムは、高齢者等の人体に何らの健康器具を装着せずに屋内で歩行距離を測定することが可能であり、例えば部屋を移動して他の部屋に移っても人体の移動を感知して部屋間の移動による歩行距離を算出でき、またこの算出した歩行距離から、予めデータベース部に記録した運動量テーブルに基づいて運動量を算出することができる。そして、パッシブセンサーによる人体の存在の有無を感知することができるため、例えば外部の侵入者の浸入経路と現在位置とを記録することができるため、家屋の防犯システムとして用いることも可能である。
【産業上の利用可能性】
【００２３】
本発明による自宅型自動運動量算出システムによれば、高齢者等に健康器具等を装着することなく容易に運動量の算出が可能であり、算出された運動量データを高齢者本人ばかりでなく、家族や高齢者の介護センター等に於ける介護予防プログラムのための基礎データとして活用できる。また、本システムをサーバー化することによって、得られるデータを一元化して更に加工を行ってサービスを提供できる。例えば、ＡＳＰ（Ａｐｐｌｉｃａｔｉｏｎ  Ｓｅｒｖｉｃｅ  Ｐｒｏｖｉｄｅｒ）の形態をとり、このＡＰＳによるホームヘルスケアと一人暮らしの生活の見守りサービスが図れる。更に福祉事業の施設にこのサーバーを設置して独自のサービスとしての利用も図れる。
【図面の簡単な説明】
【００２４】
【図１】本発明に係る自宅型自動運動量算出システムの基本構成を説明する平面図である。
【図２】本発明に係る自宅型自動運動量算出システムのデータ処理部を示す説明図である。
【符号の説明】
【００２５】
１                  自宅型自動運動量算出システム
２、３              部屋
４                  受送信装置
５                  インターネット
６                  データ処理部
７                  記録部
８、９              距離テーブル
１０                  運動量テーブル
１１                  データベース部
１２                  演算部
１３                  出力処理部
Ｘ１００、Ｙ１００        パッシブセンサー
Ｘ２００、Ｙ２００        パッシブセンサー
Ｄ１                  現在位置
Ｄ２、Ｄ４            一つ前の位置
Ｄ３、Ｄ５            歩行距離
【図１】
2008099843.tif 000003
【図２】
2008099843.tif 000004